(57)【要約】【課題】信号線を周囲の電波から保護すると共に、入力用同軸ケーブルの芯線が筐体内で正しく接続されていることを視覚的に確認することのできるテレビコンセントを提供すること。【解決手段】テレビコンセント１００は、入力側同軸ケーブル９が取り付けられる入力側端子である挿入管１１ｂ及び出力側同軸ケーブルが取り付けられる出力側端子１２ａが設けられ、入力側及び出力側端子が設けられた部分と異なる部分が開口する金属製の筐体１０、筐体内に収容されて、入力側及び出力側同軸ケーブルの芯線をそれぞれ把持する第１及び出力側把持部２２，２３を有する全属性の端子金具２０、筐体の開口を塞ぎ、筐体の外側から把持部を視認できる位置に孔４０ａが形成された金属製の裏蓋４０を備える。裏蓋に孔が形成されていることで、その孔を介して筐体の外側から端子金具の把持部により入力側同軸ケーブルの芯線が把持されているか否かを視認することができる。【選択図】図４
2019129100.tif 000002
【特許請求の範囲】
【請求項１】
入力側同軸ケーブルが取り付けられる入力側端子及び出力側同軸ケーブルの接栓が挿入されるプラグである出力側端子が設けられ、前記出力側端子を有する正面に対向する裏面が開口する、金属製の筐体と、
前記筐体内に収容されて、前記入力側同軸ケーブルの芯線を把持する把持部を有し、前記入力側同軸ケーブルの芯線と前記出力側同軸ケーブルの芯線とを電気的に接続する、端子金具と、
前記筐体の開口を覆い、前記把持部から前記裏面の法線方向に延長された位置を含む箇所に孔が形成された、金属製の裏蓋とを備えることを特徴とする、テレビコンセント。
【請求項２】
前記裏蓋の孔は、前記裏面において直径３ｍｍの円内に収まり、直径１ｍｍの円を含む形状であることを特徴とする、請求項１に記載のテレビコンセント。
【請求項３】
前記筐体及び前記裏蓋は、アルミダイキャスト製であることを特徴とする、請求項１又は２に記載のテレビコンセント。
【請求項４】
前記入力側端子は、前記入力側同軸ケーブルの先端が前記一軸方向に挿入される挿入管と、前記入力側同軸ケーブルを前記挿入管に固定する固定機構とを有することを特徴とする、請求項１〜３のいずれか一項に記載のテレビコンセント。
【請求項５】
前記挿入管は、前記正面及び前記裏面の双方と交差する側面に設けられていることを特徴とする、請求項４に記載のテレビコンセント。
【請求項６】
前記把持部は、金メッキが施されていることを特徴とする、請求項１〜５のいずれか１項に記載のテレビコンセント。
【発明の詳細な説明】
【技術分野】
【０００１】
本発明は、入力側同軸ケーブルを出力側同軸ケーブルに接続するテレビコンセントに関する。
【背景技術】
【０００２】
屋外に設置されたテレビアンテナは、壁面内に延設された同軸ケーブルを介して屋内の壁面等に設けられたテレビコンセントに接続されている。屋内のテレビ受像機の信号入力用の同軸ケーブルをテレビコンセントに接続することで、テレビアンテナにより受信した信号がテレビ受像機に送信される。
【０００３】
ここで、同軸ケーブルは、芯線（内部導体とも呼ぶ）からなる信号線を中心に、その周囲を絶縁体、網組導体（外部導体とも呼ぶ）、及び保護被膜で覆って構成されている。信号線は、周囲の網組導体によって電波の影響が小さくなり、信号を安定して送信する。しかし、テレビコンセント内では信号線が網組導体の中から外れている箇所ができ、その箇所において信号線内を伝送される電気信号が周囲の電波に影響されることがある。例えば、ＷｉＦｉルータ、電子レンジ等が発生する略２．４ＧＨｚの電波は、４Ｇ、８Ｇ等のテレビ用デジタル信号と干渉する。
【０００４】
そこで、テレビコンセント内の芯線を周囲の電波から保護するため、信号線が網組導体の中から外れている箇所を金属製の筐体内に配したテレビコンセントが特許文献１に開示されている。
【０００５】
また、テレビコンセントでなく同軸ケーブルを接続、分岐する直列ユニットにおいても、信号線が網組導体の中から外れている箇所を金属製の部材で覆うものが特許文献２、３に開示されている。
【０００６】
テレビコンセントにおいて、信号線が網組導体の中から外れている箇所を金属製の筐体で覆うことには、以下の問題がある。同軸ケーブルの信号線を筐体内で他の部材と電気的に接続させる作業がテレビコンセントの設置工事において行われる。この際に、接続部が筐体内にあるため、正しく接続されているか否かを視覚的に確認することができない。
【先行技術文献】
【特許文献】
【０００７】
【特許文献１】特開２０１７−１０３１２２号公報
【特許文献２】特開平０５−１７５６７１号公報
【特許文献３】特開２０００−０３２２９４号公報
【非特許文献】
【０００８】
【非特許文献１】遠方界における単一の開口の共振／アンテナ動作（http://t-sato.in.coocan.jp/dtemc2/part4.html#4.3.6）（Keith Armstrong著、T.SATO訳）
【発明の概要】
【発明が解決しようとする課題】
【０００９】
本発明は、信号線を周囲の電波から保護すると共に、入力側同軸ケーブルの芯線が筐体内で正しく接続されていることを視覚的に確認することのできるテレビコンセントを提供することを課題とする。
【課題を解決するための手段】
【００１０】
本発明のテレビコンセントは、
入力側同軸ケーブルが取り付けられる入力側端子及び出力側同軸ケーブルの接栓が挿入されるプラグである出力側端子が設けられ、前記出力側端子を有する正面に対向する裏面が開口する、金属製の筐体と、
前記筐体内に収容されて、前記入力側同軸ケーブルの芯線を把持する把持部を有し、前記入力側同軸ケーブルの芯線と前記出力側同軸ケーブルの芯線とを電気的に接続する、端子金具と、
前記筐体の開口を覆い、前記把持部から前記裏面の法線方向に延長された位置を含む箇所に孔が形成された、金属製の裏蓋とを備えることを特徴とする。
【００１１】
この特徴によれば、入力側同軸ケーブルの芯線は、端子金具の把持部の近傍で網組導体の中から外れて、端子金具の把持部に把持される。裏蓋の孔は端子金具の把持部を視認できる位置に形成されており、その孔を介して筐体の外側から端子金具の把持部により入力側同軸ケーブルの芯線が把持されているか否かを視認することができる。
【００１２】
本発明のテレビコンセントは、
前記裏蓋の孔は、前記裏面において直径３ｍｍの円内に収まり、直径１ｍｍの円を含む形状であることを特徴とする。
【００１３】
この特徴によれば、視認性を保ちつつ、孔を小さくすることができ、裏蓋による周囲の電波からの信号線（芯線）の保護を確実にすることができる。
【００１４】
本発明のテレビコンセントは、
前記筐体及び前記裏蓋は、アルミダイキャスト製であることを特徴とする。
【００１５】
この特徴によれば、広く用いられているアルミダイキャストを用いて、本発明のテレビコンセントを低コストで生産することができる。
【００１６】
本発明のテレビコンセントは、
前記入力側端子は、前記入力側同軸ケーブルの先端が前記一軸方向に挿入される挿入管と、前記入力側同軸ケーブルを前記挿入管に固定する固定機構とを有することを特徴とする。
【００１７】
この特徴によれば、入力側同軸ケーブルの先端を挿入管に一軸方向に挿入することで、入力側同軸ケーブルを入力側端子に取り付けるとともに、芯線を把持部により把持することができる
【００１８】
本発明のテレビコンセントは、
前記挿入管は、前記正面及び前記裏面の双方と交差する側面に設けられていることを特徴とする。
【００１９】
この特徴によれば、壁面に沿って上下方向に存すると考えられる入力用同軸ケーブルを、挿入管に容易に挿入することができる。
【００２０】
本発明のテレビコンセントは、
前記把持部は、金メッキが施されていることを特徴とする。
【００２１】
この特徴によれば、入力用同軸ケーブルの芯線を良好に電気接続することができる。
【発明の効果】
【００２２】
本発明によれば、信号線を周囲の電波から保護すると共に、入力用同軸ケーブルの芯線が筐体内で正しく接続されていることを視覚的に確認することのできるテレビコンセントを提供することが可能となる。
【図面の簡単な説明】
【００２３】
【図１】図１は、テレビコンセントの構成を示す斜視図である。
【図２】図２は、テレビコンセントの構成を示す図である。
【図３】図３は、テレビコンセントの構成を示す断面図である。
【図４】図４は、テレビコンセントの構成各部を示す分解斜視図である。
【発明を実施するための形態】
【００２４】
図１は、テレビコンセントの構成を示す斜視図である。テレビコンセント１００の全体構成を示したものである。なお、Ｘ軸方向に関して−Ｘ側を左及び＋Ｘ側を右側、Ｙ軸方向に関して−Ｙ側を下側及び＋Ｙ側を上側、Ｚ軸方向に関して−Ｚ側を前側（正面側）及び＋Ｚ側を後側（背面側）とする。
【００２５】
図２は、テレビコンセントの構成を示す図である。図１に示すテレビコンセントを各方向から見た図である。ここで、（Ａ）は正面図、（Ｂ）は平面図、（Ｃ）は左側面図、（Ｄ）は右側面図、（Ｅ）は底面図である。
【００２６】
図３は、テレビコンセントの構成を示す断面図である。図２（Ａ）における基準線ＡＡに関する組合せ断面図である。
【００２７】
テレビコンセント１００は、例えば屋外に設置されたテレビアンテナから延設される入力側同軸ケーブル９を屋内に設置されたテレビ受像機に着脱可能に接続される出力側同軸ケーブルを挿入する出力側端子（プラグ）１２ａに接続する器具であり、筐体１０、端子金具２０、スペーサ３０、及び裏蓋４０を備える。
【００２８】
筒体１１は、矩形状の断面を有する角筒であり、背面が開いて開口１１ａが形成され、下面に−Ｙ方向に向けて挿入管１１ｂが設けられ、左面に４つの凸部１１ｃが配設されている。
【００２９】
筐体１０は、入力側同軸ケーブル９が取り付けられる入力側端子１１ｂ及び出力側同軸ケーブルが取り付けられる出力側端子１２ａが設けられ、端子金具２０及びスペーサ３０を収容する部材であり、筒体１１及び前面１２を有する。なお、筒体１１及び前面１２は、入力側端子（挿入管）１１ａ及び出力側端子１２ａを含め、銅、アルミニウム等の導電性金属から成形される。それにより、筒体１１を介して入力側及び出力側同軸ケーブルの外部導体を電気的に接続するともに、その内側の信号線（端子金具２０を含む）を周囲の電波から遮蔽することができる。なお、アルミダイキャスト製とすることで、生産が容易となる。
【００３０】
開口１１ａは、入力側及び出力側端子が設けられた部分と異なる背面に配され、後述する裏蓋４０により塞がれる。
【００３１】
挿入管（入力側端子とも呼ぶ）１１ｂは、入力側同軸ケーブル９の先端がその軸方向（ここでは、Ｙ軸方向）に挿入される箇所である。後述するように、入力側同軸ケーブル９を挿入管１１ｂに＋Ｙ方向に挿入することで、入力側同軸ケーブル９を挿入管１１ｂに取り付けるとともに、芯線９ａを−Ｙ方向に延びる把持部２２のばね片２２ａにより把持することができる。なお、入力側同軸ケーブル９が挿入された挿入管１１ｂをフェルール１４を用いて挟圧することで、入力側同軸ケーブル９を挿入管１１ｂに固定することができる。
【００３２】
なお、開口１１ａ及び挿入管１１ｂをそれぞれ筐体１０の背面及び下面に設けることとしたが、これに限らず、挿入管１１ｂを出力側端子１２ａが設けられる正面以外の一面、その一面と正面以外の一面に開口１１ａを設けてもよい。
【００３３】
４つの凸部１１ｃは、フェルール１４を保持するための部材である。各凸部１１ｃは、フェルール１４の内径に等しい直径を有する円に内接する互いに異なる位置（本例では上下前後の４点）に配置されている。フェルール１４を、その内面を４つの凸部１１ｃに当接して嵌め込むことで、使用時外にフェルール１４を筐体１０に保持することができる。
【００３４】
前面１２は、筒体１１の前面を塞いで左側に張り出す板状の部材であり、正面に出力側同軸ケーブル（不図示）の接栓を嵌め込む又はねじ入れることのできるプラグである出力側端子１２ａが設けられている。
【００３５】
なお、筐体１０の前面１２を端子台１３を用いてカバーしてもよい。端子台１３は、例えば樹脂等の非導電性素材より成形された箱体であり、正面側に出力側同軸ケーブル（不図示）の接栓を受けるプラグ状の凹部１３ａ、その底面に前面１２の出力側端子１２ａを通す円形状の開口１３ｂが形成されている。
【００３６】
端子金具（シンスプリングとも呼ぶ）２０は、入力側及び出力側同軸ケーブルの芯線を電気的に接続する全属性の部材であり、接続部２１、把持部２２及び出力側把持部２３を有する。端子金具２０は、例えば弾性を有する一枚の金属板から成形することができる。Ｘ軸方向を長手とする矩形状の接続部２１の＋Ｘ端から＋Ｙ方向に延びる延伸部を＋Ｚ方向に折り曲げ、延伸部の端部から±Ｘ方向に延びる突片を−Ｙ方向に折り曲げ、それぞれの突片の先端を互いに近接する方向に略Ｕ字状に曲げ成形することで把持部材の一例であるばね片２２ａを有する把持部２２が形成される。ばね片２２ａは、＋Ｙ方向に挿入される入力側同軸ケーブル９の芯線を挟圧する。また、接続部２１の−Ｘ端から−Ｙ方向に延びる延伸部を−Ｚ方向に折り曲げ、延伸部の先端の±Ｘ辺から−Ｚ方向に延びる突片を−Ｙ方向に折り曲げ、それぞれの突片の先端を互いに近接する方向に略Ｕ字状に曲げ成形することで把持部材の一例であるばね片２３ａを有する出力側把持部２３が形成される。ばね片２３ａは、＋Ｚ方向に挿入される出力側端子（プラグ）から伸びた芯線を挟圧する。
【００３７】
なお、ばね片２２ａ，２３ａに金メッキを施してもよい。それにより、ばね片２２ａ，２３ａにより良好に電気接続することができる。
【００３８】
スペーサ３０は、端子金具２０をその内部に保持して、筐体１０から離間してその内部に収容するための部材である。スペーサ３０は、胴部３１、支持部３２、及び出力側支持部３３を有する。なお、スペーサ３０は、例えば樹脂を用いて、支持部３２、及び出力側支持部３３の半部３１ａ，３２ａ，３３ａが一体成型され、残り半部３１ｂ，３２ｂ，３３ｂが一体成型され、２つの半部を接続することで構成される。なお、図２では、２つの半部が開いた状態でそれぞれの内部構造が示されているが、残り半部３１ｂ，３２ｂ，３３ｂは図の上方から見て時計回りに回転して半部３１ａ，３２ａ，３３ａに接続されている。（スペーサ３０は、半部３１ａ，３２ａ，３３ａを厚くした形状である。）
【００３９】
胴部３１は、２つの半部３１ａ，３１ｂよりなる箱体であり、端子金具２０の接続部２１をその内部空間３０ａに収容する。
【００４０】
支持部３２は、２つの半部３２ａ，３２ｂよりなる角筒体であり、胴部３１の背面の−Ｘ側から＋Ｚ方向に延びて形成されている。支持部３２は、端子金具２０の把持部２２を収容する。ここで、挿入管１１ｂの中心の延長上に位置する半部３２ｂに開口３２ｂ０が設けられ、さらに把持部２２のばね片２２ａが開口３２ｂ０に向かって＋Ｙ方向に延びて配置される。それにより、挿入管１１ｂに挿入された入力側同軸ケーブル９の芯線９ａが開口３２ｂ０を介して支持部３２内に挿入され、把持部２２のばね片２２ａにより挟圧される。また、支持部３２の＋Ｚ面、すなわちスペーサ３０により支持される端子金具２０の把持部２２から＋Ｚ方向に位置する面に、開口３０ｃが形成されている。それにより、後述する裏蓋４０の孔４０ａ及び支持部３２の開口３０ｃを介して、把持部２２により入力側同軸ケーブル９の芯線９ａが把持されているか否かを視認することができる。
【００４１】
出力側支持部３３は、２つの半部３３ａ，３３ｂよりなる円筒体であり、胴部３１の前面の＋Ｘ側から−Ｚ方向に延びて形成されている。なお、出力側支持部３３の−Ｚ面に開口３０ｂが形成されている。出力側支持部３３は、端子金具２０の出力側把持部２３を収容する。ここで、出力側把持部２３のばね片２３ａを−Ｚ方向に向けて、半部３３ａ内に形成された爪片３３ａ０により出力側把持部２３を固定することができる。それにより、出力側端子１２ａに挿入された出力側同軸ケーブルの芯線が開口３０ｂを介して出力側支持部３３内に挿入され、出力側把持部２３のばね片２３ａにより挟圧される。
【００４２】
裏蓋４０は、筐体１０の裏面の開口１１ａを塞ぐ金属製の板状部材である。裏蓋４０は、筐体１０の筒体１１の背面に対応する矩形状を有し、筐体１０の外側から把持部２２のばね片２２ａを視認できる位置に孔４０ａが形成されている。ここで、孔４０ａの形成される位置は、一例として、スペーサ３０内に支持される端子金具２０のばね片２２ａからスペーサ３０の支持部３２の開口３０ｃに向かって延びる直線（裏面の法線）の延長上の位置とする。
【００４３】
裏蓋４０の材質は、導電性金属とする。それにより、筐体１０と合わせて信号線を周囲の電波から遮蔽する。
【００４４】
孔４０ａは、直径３ｍｍの円内に収まり、直径１ｍｍの円を含む形状であるものとする。例えば直径３ｍｍの円形、一辺が３ｍｍの正方形等であってよい。
【００４５】
直径１ｍｍの円を含む形状とするのは、孔４０ａを介して筐体１０の外側から端子金具２０の把持部２２により入力側同軸ケーブル９の芯線９ａが把持されているか否かを視認することができるようにするためである。
【００４６】
直径３ｍｍの円内に収まる形状とするのは、信号線を周囲の電波から十分に遮蔽するためである。非特許文献１に示されるように、孔を透過する電波の強度は、孔の最大径（孔が収まる円の直径にほぼ等しい）と電波の周波数とに依存し、電波の周波数が高いほど大きい。ここで、外部の電波の周波数は３．２ＧＨｚ以下であると考えられるので、３．２ＧＨｚの電波の透過を求める。
【００４７】
非特許文献１のＦｉｇｕｒｅ４Ｊを高周波数側に外挿すると、孔の最大径が１ｍｍの場合、３．２ＧＨｚの電波の透過度は略−３５ｄＢである（無遮蔽の場合に比して略３５ｄＢだけ減衰する）。孔の最大径が３ｍｍの場合、３．２ＧＨｚの電波の透過度は略−２５ｄＢである。
【００４８】
テレビコンセント１００は、次のように組み立てることができる。まず、端子台１３を用いて、その開口１３ｂに出力側端子１２ａを通して、筐体１０の前面１２をカバーする。次に、端子金具２０をスペーサ３０内に収容し、スペーサ３０を筐体１０の筒体１１内に収容する。ここで、出力側支持部３３の−Ｚ端を出力側端子１２ａ内に挿通し、支持部３２の開口３２ｂ０を挿入管１１ｂの中心軸上に位置決めする。最後に、裏蓋４０により筒体１１の背面を閉じ、孔４０ａと支持部３２の開口３２ａを連通する。また、フェルール１４を４つの凸部１１ｃを用いて筐体１０に留めてもよい。
【００４９】
テレビコンセント１００は、次のように屋内の壁面等に設置することができる。ここで、テレビコンセント１００では、筐体１０は、出力側端子１２ａを正面に有し、挿入管１１ｂ（すなわち、入力側端子）を側面の１つ（ここでは筐体１０の底面）に有し、背面を開口し、また裏蓋４０の孔４０ａは、把持部２２から＋Ｚ方向に位置する。まず、壁面内で壁面に沿って上下方向に延設されている入力側同軸ケーブル９を筐体１０が側面に有するＹ軸方向に延びる挿入管１１ｂに挿入し、フェルール１４を用いて固定することで、入力側同軸ケーブル９を入力層端子１１ｂに取り付ける。このとき、入力側同軸ケーブル９の芯線９ａは、スペーサ３０の開口３２ｂ０を介してその内部に＋Ｙ方向に挿入され、スペーサ３０内で−Ｙ方向に延びる把持部２２のばね片２２ａにより挟圧されて把持される。次に、裏蓋４０の孔４０ａから把持部２２が芯線９ａを把持したのを視認する。最後に、筐体１０を裏返し、正面の出力側端子１２ａを壁面上に露出して壁面内に埋め込む。それにより、テレビコンセント１００が壁面に設置される。
【００５０】
壁面に設置されたテレビコンセント１００の出力側端子（プラグ）１２ａに出力側同軸ケーブルの接栓を＋Ｚ方向に挿入することで、出力側同軸ケーブルの芯線が入力側同軸ケーブル９の芯線９ａに電気的に接続され、出力側同軸ケーブルの外部導体が入力側同軸ケーブル９の外部導体に電気的に接続される。
【００５１】
以上詳細に説明したように、テレビコンセント１００は、金属製の筐体１０及び裏蓋４０によって、信号線（端子金具２０を含む）を周囲の電波から遮蔽することができる。裏蓋４０の把持部２２を視認できる位置に孔４０ａが形成されていることで、その孔４０ａを介して筐体１０の外側から端子金具２０の把持部２２により入力側同軸ケーブルの芯線が把持されているか否かを視認することができる。
【００５２】
なお、フェルール１４を用いて入力側同軸ケーブル９を挿入管１１ｂに固定するに限らず、例えばオームバンドをネジ留めすることで固定してもよい。
【産業上の利用可能性】
【００５３】
信号線を周囲の電波から保護すると共に、入力用同軸ケーブルの芯線が筐体内で正しく接続されていることを視覚的に確認することのできるテレビコンセントである。多くの家庭における電気工事業者の利用が考えられる。
【符号の説明】
【００５４】
９        入力側同軸ケーブル
９ａ      芯線
１０      筐体
１１      筒体
１１ａ    開口
１１ｂ    入力側端子（挿入管）
１１ｃ    凸部
１２      前面
１２ａ    出力側端子（プラグ）
１３      端子台
１３ａ    凹部
１３ｂ    開口
１４      フェルール
２０      端子金具
２１      接続部
２２      把持部
２２ａ    ばね片（把持部材）
２３      出力側把持部
２３ａ    ばね片（把持部材）
３０      スペーサ
３０ｂ    開口
３０ｃ    開口
３１      胴部
３１ａ    半部
３１ｂ    半部
３２      支持部
３２ａ    半部
３２ｂ    半部
３２ｂ０  開口
３３      出力側支持部
３３ａ    半部
３３ａ０  爪片
３３ｂ    半部
４０      裏蓋
４０ａ    孔
１００    テレビコンセント
【図１】
2019129100.tif 000003
【図２】
2019129100.tif 000004
【図３】
2019129100.tif 000005
【図４】
2019129100.tif 000006